(57)【特許請求の範囲】
【請求項１】
ハンドル器具またはロボットインターフェースである機械的シグナル発生器（１）と、
先端部および前記機械的シグナル発生器（１）が接続された基端部を有するシャフト器具（２）と、
前記シャフト器具（２）の先端部にヒンジ（１７）を介して旋回しうるように連結されたヘッド器具（４）であって、鉗子あるいは鋏の形の外科用ツールを少なくとも1つは保持し且つ前記シャフト器具（２）の長軸を軸に回転しうるように支持されたエフェクタ（３）を内部に有するヘッド器具（４）と、
前記機械的シグナル発生器（１）からの機械的操作シグナルを、前記ヘッド器具（４）に伝達し、および／または前記操作シグナルを変換する機械的トランスミッションシステムと、
を有し、
前記機械的トランスミッションシステムは、レバー手段（１９）を介して旋回シグナルを前記ヘッド器具（４）に伝達するためにシフト移動しうるように前記シャフト器具（２）内部に支持される押出チューブシャフト（１２）と、屈曲に対しては柔軟で且つねじれ剛性を有する中空バネ（３０）を介して回転シグナルを前記エフェクタ（３）に伝達するために回転可能に前記押出チューブシャフト（１２）内部に支持される回転チューブシャフト（２４）と、前記中空バネ（３０）の内部に配置される少なくとも１つのプル／プッシュケーブルおよび樹脂チューブを備えたケーブルシステムを介して前記機械的シグナル発生器（１）からの作動シグナルを前記外科用ツールに伝達するためにシフト移動しうるように前記回転チューブシャフト（２４）内部に支持される作動ロッド（２５）と、を備え、
前記中空バネ（３０）は、前記機械的シグナル発生器（１）と前記ヒンジ（１７）のヒンジ軸との間に第１部分が配置されるように且つ前記ヒンジ軸と前記ヘッド器具（４）との間に第２部分が配置されるように前記ヒンジ（１７）をバイパスするように配置され、前記エフェクタ（３）と前記回転チューブシャフト（２４）とを直接接続し、
前記中空バネ（３０）は、軸線方向中間部分がコイル状のスパイラルスプリングであり、スプリングの両端部に一体化された２つのバー状の接続要素（３１、３２）を有し、
前記接続要素の一方（３１）は前記回転チューブシャフト（２４）に接続し、もう一方（３２）は前記エフェクト（３）に接続し、
前記スパイラルスプリングの巻ピッチは、前記スパイラルスプリングが屈曲していない場合にコイル同士が離間し、前記ヘッド器具（４）が最大限に旋回して前記スパイラルスプリングが最大限屈曲した場合にコイル同士が離間するように調整され、
さらに、前記シャフト器具（２）内部で前記回転チューブシャフト（２４）が回転する時に前記機械的シグナル発生器（１）によって生成されたトルクが前記スパイラルスプリングを介して前記ヘッド器具（４）に伝達され、且つ前記ヒンジ軸で前記ヘッド器具（４）が旋回する時に前記スパイラルスプリングがさらに屈曲するように、前記中空バネ（３０）は前記機械的トランスミッションシステムに連結される、外科用器具。
【請求項２】
前記少なくとも１つのケーブルは前記外科用ツールに電流を供給するための導電体である、請求項１に記載の外科用器具。
【請求項３】
前記レバー手段（１９）は前記中空バネ（３０）の径方向外側に配置される、請求項１に記載の外科用器具。
【請求項４】
前記レバー手段（１９）は少なくとも９０度の旋回角度が達成されるように前記中空バネ（３０）と関連する位置である、請求項３に記載の外科用器具。
【発明の詳細な説明】
【技術分野】
【０００１】
本発明は、外科用器具、特に器具またはチューブシャフトに接続された可動の先端ヘッド器具を有し、かつ最小侵襲手術（minimally invasive surgery）のための外科用器具に関する。
【背景技術】
【０００２】
例えば、特許文献１には、本技術分野の外科用器具が開示されている。この外科用器具は、実質的にチューブまたはシャフト器具からなる。チューブまたはシャフト器具の一方の端部である基端部にはヘッド器具操作用のハンドル器具が設けられ、反対側の端部である先端部にはヘッド器具が設けられている。ハンドル器具はトランスミッションを介して、ヘッド器具を操作する。ヘッド器具は屈曲可能であり、より具体的には、チューブシャフトに対して傾斜可能である。またヘッド器具は内部に回転しうるように支持されたエフェクタとして、鉗子またはトングを保持する。鉗子またはトングの１つのあご部は、旋回しうるようにエフェクタに支持され、ハンドル器具によって操作されうる。
【０００３】
より具体的には、特許文献１では、トランスミッションによって、少なくとも操作者の手の回転運動によって生じたハンドル器具の第１の動きが、所定の伝達率で、エフェクタの回転運動に伝達されうる。これにより、人の手の回転運動が比較的制限されている（約300°まで）にもかかわらず、ハンドルを持ち替えることなくエフェクタを回転させ、複雑に動かしうる。さらに、ハンドル器具の第２の動き（例えばチューブシャフトに対する屈曲）は、ヘッド器具の傾きに変換される。
【０００４】
ハンドル器具およびチューブシャフの内部に設けられたトランスミッションは、ヘッド器具およびエフェクタの個々の動きを最大限独立して操作しうるように設計されている。しかしながら、このようなトランスミッションは、必然的に極めて複雑であることから、十分な組み立て用のスペース（assembly space）を要する。さらに、完全に独立した各部材の動きは保証されていなかった。
【０００５】
特許文献２には、他の外科用器具が開示されている。特許文献２に開示された外科用器具は、ハンドル器具と、先端部およびハンドルが接続された基端部を有するシャフト器具と、旋回しうるようにシャフト器具の先端部に連結されたヘッド器具と、を有する。ヘッド器具は、ヘッド器具の長軸を中心に回転しうるように、ヘッド器具の内部に支持されたエフェクタと、エフェクタに保持された外科用ツールとを有する。機械的トランスミッションシステムの少なくとも一部が、シャフト器具内部に設けられる。機械的トランスミッションシステムは、ハンドルからの機械的操作シグナルを、ヘッド器具の旋回および／または回転運動に伝達および／または変換する。そして、屈曲に対しては柔軟で、ねじれ剛性を有する中空バネが、ヒンジをバイパスすることでトランスミッションシステムと相互に接続している。また中空バネは、エフェクタと機械的トランスミッションシステムとを直接接続し、少なくともハンドルからの回転シグナルをエフェクタに伝達する。ここで、屈曲に対しては柔軟で、ねじれ剛性を有する中空バネとは、回転チューブシャフトに取り付けられたスパイラルスプリングである。回転チューブシャフトは、トランスミッションシステムの一部を構成し、少なくとも回転しうるようにシャフト器具内部に支持される。
【０００６】
これらの先行技術を参照し、本発明の目的は、ヘッド器具およびエフェクタの運動が、特にヘッド器具において簡便な構造を有するトランスミッションを用いることで達成される外科用器具を提供することである。本発明の他の目的は、トランスミッションの構造を単純化することでヘッド器具において十分なスペースを確保することである。当該スペースは、外科治療に有用な外科用器具に更なる機能を付与するために用いられうる。本発明のさらなる目的は、最小侵襲手術の分野における一般的な用語である単孔式手術に適した外科用器具を提供することである。
【先行技術文献】
【特許文献】
【０００７】
【特許文献１】独国特許出願公開第１００３６１０８号明細書
【特許文献２】国際公開第２００９／００１４９７（Ａ２）号パンフレット
【発明の概要】
【０００８】
本発明の目的は、請求項１の特徴を有する外科用器具によって解決される。本発明のさらなる有用な形態は、従属項によって特定される。
【０００９】
本発明の基本的概念は、ねじれに対して剛性を有する柔軟なバネを用いることである。このようなバネはトルクを伝達することができる。このようなバネは、機械的シグナルを発生させるシグナル発生器と、ヒンジシャフトおよびピンを有する機械的ヒンジを介してシャフト器具に連結されたヘッド器具と、の間のトランスミッションの一部を構成する。シグナル発生装置は、複数のトリガーやつまみなどを有するハンドル器具やロボティックインターフェース、シリンダ状の駆動モータ、ピエゾ素子、ステッピングモータなどである。さらにバネは、ヒンジをバイパスするように配置され、ヘッド器具内部に支持されたエフェクタと、トランスミッション（特にトランスミッションの他の一部を構成する回転（チューブ）シャフト）とを（直接）接続する。回転チューブシャフトは、シャフト器具内部に支持され、シグナル発生器からの機械的回転シグナルをエフェクタに伝達する。この構造（特にヒンジと柔軟なバネとの組み合わせ）によってシャフト器具に対してヘッド器具が旋回したとき、バネの規定された（制御された）屈曲運動を実現することが可能となり、最大トルクを伝達するようにバネを予め設計することが可能となる。さらに、屈曲運動中におけるバネの軸の長さの変動を、最小化および／または正確に予測することが可能となる。
【００１０】
より具体的には、本発明の外科用器具は、好ましくはハンドル器具である機械的シグナル発生器と、先端部およびシグナル発生器が連結された基端部を有するシャフト器具と、旋回しうるようにシャフト器具の先端部にヒンジシャフトまたはピンを介して連結されたヘッド器具と、少なくとも一部がシャフト器具内部に配置され、シグナル発生器からの機械的操作シグナルを、少なくとも旋回および／または回転運動のためにヘッド器具（４）に伝達する機械的トランスミッションシステムとを有する。ヘッド器具は、ヘッド器具の長軸を中心に回転しうるようにヘッド器具内部に支持されたエフェクタおよびエフェクタに保持された外科用ツールを有する。本発明によれば、屈曲に対しては柔軟であり（bending flexible）、ねじれ剛性を有する中空バネが、旋回ヒンジをバイパスすることで、エフェクタと機械的トランスミッションシステム（回転シャフト）とを直接接続し、少なくとも回転シグナルをエフェクタに伝達する。このバネがヒンジとは離間して配置されている（バイパス配置されている）ことによって、固定されたヒンジの軸を中心にヘッド器具が旋回したとき、バネの圧縮または伸張運動と組み合わさったバネの屈曲を形成することができる。
【００１１】
本発明の屈曲に対しては柔軟で、ねじれ剛性を有する中空バネはスパイラルスプリングである。スパイラルスプリングは、トランスミッションシステムの一部であり、少なくとも回転しうるように、さらに任意に軸方向にシフト移動しうるようにシャフト器具内部に支持された回転（チューブ）シャフトの一方の端部に取り付けられる。回転（チューブ）シャフトは、内部に軸方向穴を有することが好ましい。回転（チューブ）シャフトの軸方向穴は、中空バネの内部に連結し、閉塞チャネル（closed channel）を形成することが好ましい。また閉塞チャネル内には、後述するプル・プッシュ要素および／または電気配線などの追加的な部材が通されてもよい。バネがスパイラルスプリングである場合、圧縮は軸方向の長さの収縮を誘導する。これにより、外科用ツールの位置に対する屈曲運動の影響が減少する。
【００１２】
最後に、本発明では、ヘッド器具を最大限に旋回させるためにスパイラルスプリングが最大限屈曲した場合にのみ、屈曲方向に対して内側のスパイラルスプリング（３０）のスプリングコイル同士が接触するか、またはこの場合であってもスプリングコイル同士が離間するようにスプリングコイルの巻ピッチが調整されている。この独創的な構造によって、特定の外径および内径を有するスプリングが、ヘッド器具が最大限旋回した位置において最大トルクを伝達できるというメリットが得られる。これにより、スパイラルスプリングのトルク伝達機能が最大限に利用されうる。
【００１３】
本発明の一の形態では、外科用ツールは、２つのあご部を有する鉗子または鋏手段である。少なくとも１つのあご部は、旋回しうるようにエフェクタによって支持され、トランスミッションシステム（特に、回転チューブシャフト内部の作動ロッド）にレバー手段（あご部と一体的でありうる）および接続要素（例えばボーデンケーブル）を介して連結されている。そして、シグナル発生器からの各操作シグナルによって生じる作動ロッドの軸方向のシフト移動が、接続要素およびレバー手段を介して直接少なくとも１つのあご部に伝達し、あご部を開閉運動させる。作動ロッドは、シフト移動しうるように回転（チューブ）シャフトの軸方向穴内に支持された追加的な（独立した）ロッドであってもよいし、または回転（チューブ）シャフト自体であってもよい。作動ロッドが回転（チューブ）シャフト自体である場合、シャフトは、エフェクタに回転シグナルを伝達する機能と、作動シグナル（開閉シグナル）を外科用ツールに伝達する機能と、の２つの機能を有する。
【００１４】
本発明の他の形態では、チューブまたは外科用器具のシャフト器具は、長軸方向に沿ってC字型に湾曲しているか、または同一または異なる曲率半径を有し、同一の湾曲方向（curving direction）を有する１以上の湾曲単位（single curved portion）を有し、同一平面において（in one plane）Ｃ字型に湾曲されている。このようなシャフトの構造は、単孔式手術において複数の（少なくとも２つ）本発明の外科用器具を単一のトロカールに挿入する場合に、外科用器具のシグナル発生器（ハンドル）が互いに干渉しあうことを防止できる。さらに、Ｃ字型またはＣ字様型（C-shape like form）のシャフトによって、外科用器具の先端部を自動的に離間させることができるので、単一のトロカールに複数の外科用器具を挿入する場合であっても、先行技術のように先端部の間に一定の距離を確保するためにシャフト器具を交差させる必要がない。さらに、各外科用器具は、単独でトカロールから出し入れされうる。
【００１５】
各シャフト器具の単一湾曲方向（single curve direction）は、ヘッド器具の旋回方向と一致している。換言すると、２つの上述した単一湾曲したシャフト器具を有する外科用器具が、単孔式手術において単一のトロカールに挿入された場合、シグナル発生器（ハンドル）が互いに離間する。そして２つの外科用器具のヘッド器具は旋回することで再び互いに接近することができる。このため、互いに協同しあう２つの外科用器具を用いることで、単孔式手術をより大きな作業域（working space）で実行することができる。
【００１６】
本発明の他の形態では、バネ（および任意にシャフト器具）は、最大で5.5mmの外径を有し、最小で0.3mmの内径を有する。本発明者は、1100N/mm2以上の抗張力（Rm）を有するスプリング材料からなり、上記寸法を有するスパイラルスプリングをバネとして用いると、回転（チューブ）シャフトからのトルクをエフェクタに十分に伝達することができると同時に、屈曲に対して十分な柔軟性（弾力性）を確保でき、ヘッド器具が旋回する際に大きな抵抗とはならないことを見出した。さらに、バネが上記内径を有すると、トランスミッション（作動ロッド）からの作動（せん断／引っ張り）力を外科用ツールに伝達する少なくとも１つのケーブルがバネ内部に挿入されうる。また、ケーブルは任意に外科用ツールに電力を供給し、バイポーラ技術によって熱を発生させうる。
【図面の簡単な説明】
【００１７】
【図１】図１は、本発明の好ましい形態の外科用器具の全体図である。
【図２】図２は、ハンドル器具からの作動運動をヘッド器具の旋回および／または回転運動に伝達させるトランスミッションシステムを概略図である。
【図３】図３は、ヘッド器具とシャフト器具との間のヒンジ部の拡大図である（柔軟なバネは不図示）。
【図４】図４は、柔軟なバネとしてのスパイラルスプリングを示す。
【図５】図５は、単孔式手術における２つの外科用器具の配置を示す。
【発明を実施するための形態】
【００１８】
以下、図面を参照しながら本発明の好ましい実施の形態を例に本発明について詳細に説明する。
【００１９】
図１には、本発明の好ましい形態の外科用器具の全体図が示される。本発明の外科用器具は、チューブもしくはシャフト器具２の基端部または端部に設けられた多機能ハンドル器具１形式の機械的シグナル発生器と、エフェクタ３として機能するか、またはエフェクタ３を備えたヘッド器具４と、を有する。チューブもしくはシャフト器具２はステンレスからなることが好ましい。ヘッド器具はシャフト器具２の他の端部である先端部に設けられる。
【００２０】
図１に示されるように、チューブまたはシャフト器具２は、C字型に湾曲されていてもよい。C字型に湾曲されたシャフト器具２は、一定の曲率半径を有していてもよいし、同一または異なる曲率半径を有し、長軸方向に互いに離間し、かつ同一の湾曲方向を有する複数の湾曲単位を有していてもよい。または、シャフト器具２は、直線形状であってもよいし、単一湾曲構造（single curved design）を形成するために少なくとも一部が直線形状で、少なくとも一部がC字型に湾曲されていてもよい。
【００２１】
基本的に、ヘッド器具４は、シャフト器具に対して旋回または屈曲しうるようにシャフト器具の端部に支持される。一方、エフェクタ３は、ハンドル器具１の操作によってヘッド器具４の各屈曲位置においてヘッド器具４の長軸を軸としてターンまたは回転しうるように構成されている。この目的を達成するために、いくつかのマニピュレータまたはオペレーション機構がハンドル器具１に設けられている。マニピュレータまたはオペレーション機構は、ハンドル器具１およびシャフト器具２内部のトランスミッショントレーンを介して、ヘッド器具４およびエフェクタ３にそれぞれ接続されて、ヘッド器具４およびエフェクタ３を操作可能としている。これにより、ヘッド器具４およびエフェクタ３を個別に操作することができる。
【００２２】
具体的には、ハンドル器具１は、シャフト器具２に対して回転および傾斜しうるように搭載され、人間工学的に設計された部材５からなる。部材５は、第１マニピュレータ６（好ましくは回転つまみ形状）および第２マニピュレータ７（好ましくはハンドルレバーまたはトリガー形状）を支持する。すなわち、本発明の実施の形態におけるハンドル器具１は、エフェクタ３および／またはヘッド器具４の３つを個別に操作するための操作機構を有する。しかし、ハンドル器具１が有する操作機構の数は３よりも少なくてもよく、例えば、ヘッド器具４を旋回させ、エフェクタ３を回転させるハンドル器具１が有するマニピュレータまたは操作機構の数は１つでもよい。
【００２３】
図２および３には、ハンドル器具１の外部構造（特に、ヘッド器具４を旋回／屈曲させるオペレーション機構との関係および屈曲トランスミッショントレーンとの関係）が示されている。
【００２４】
図１に概略的に示されたハンドル１は、旋回しうるように連結部８を介してシャフト器具２に接続されている。連結部８は、旋回しうるか、または軸方向にシフト移動しうるように（チューブ）シャフト器具２の内部に支持されたシャフト１２に連結されている。このため、連結部８は、シャフト器具２に対するハンドル１の傾斜または旋回運動を、シャフト器具の内部の押出または旋回（チューブ）シャフト１２の直線的な往復運動に変換する。さらに、押出チューブシャフト１２の内部には、回転チューブシャフト２４が押出チューブシャフト１２に対して回転しうるように支持されている。回転チューブシャフト２４は押出チューブシャフト１２に対して軸方向にシフト移動しうるように支持されていてもよい。あるいは回転チューブシャフト２４は、回転のみ可能な状態で押出チューブシャフト１２内に保持され、そして追加的な作動ロッド２５がシフト移動しうるように支持された軸方向穴を有する。
【００２５】
つまみ６の回転運動は、連結部８内部のトランスミッション（不図示）によって伝達され、そして押出チューブシャフト１２内の回転チューブシャフト２４の回転運動に変換される。一方、トリガー７の動きは、連結部８内部の他のトランスミッション（不図示）によって伝達され、回転チューブシャフト２４のシフト運動に変換されるか（回転シャフトが回転とシフト移動との２つ機能を有する場合）、または図に示されるように、回転チューブシャフト２４内部の作動ロッド２５のシフト運動に変換される。このようなトランスミッションおよびハンドルは、例えばUS7,674,255に示されている。US7,674,255の内容は本明細書で参照される。
【００２６】
回転チューブシャフト２４内部または作動ロッド２５の内部には、２つのケーブル３３、３４が電気的に絶縁された状態で固定されていることが好ましい。ケーブル３３、３４は、電流を伝達するためのものであり、作動ロッド２５（または回転チューブシャフト２４）とエフェクタ３（特にエフェクタ３に形成された外科用ツール）とを機械的に接続する。
【００２７】
ヘッド器具４は、ヒンジ機構１７によってシャフト器具２に旋回しうるように接続されている。ヒンジ機構１７は、シャフト器具２の先端部に形成され、ヘッド器具４の旋回軸を規定する２つの小穴１５を有する。さらにヘッド器具４は、２つのピンまたはボルト（不図示）が一体的に形成された円柱状ハウジング１６を有する。ピンまたはボルトは、小穴１５に取り付けられ、ヒンジ機構１７の仮想旋回シャフトを形成しうるように、同軸上に配置される。押出チューブシャフト１２は、先端部に接続要素として、レバー１９が接続される小穴１４を有する。レバー１９は、エフェクタ３のハウジング１６の接続部１８に旋回しうるように接続されている。押出チューブシャフト１２がシャフト器具２内部を軸方向にシフト移動した場合、このシフト移動は、中間レバー１９を介してエフェクタ３のハウジング１６に伝達し、エフェクタ３（つまりヘッド器具４）をヒンジ１７の旋回軸を軸として旋回させる。
【００２８】
上述したように押出チューブシャフト１２の内部には回転チューブシャフト２４が支持される。回転チューブシャフト２４は、屈曲に対しては柔軟で、かつねじれ剛性を有する中空バネ３０が取り付けられている先端部を有する。この図４に示されるバネ３０は、好ましくは各コイルの断面が長方形であるスパイラルスプリングからなる。またはスパイラルスプリングのコイルの断面は、台形または三角形であってもよい。スプリングの内径は最小で0.3ｍｍであり、外径は最大で5.5ｍｍである。このため、スプリングの外径をDaとし、内径をDiとしたとき、スプリングは以下の式（１）を満たす。
【００２９】
Da/Di  ≦  18.33（Diは0mm超であり、Daは5.5 mm以下）       （１）
スプリングは、巻き数が９までで、スプリングの長軸方向の端部に一体化された２つの接続要素３１、３２を有する単一ブロック（single block）のバネ鋼からなる。バネ鋼は能動的屈曲部（actively bent portion）を有していてもよい。上述したように、スプリング材料の抗張力（Rm）は、1100N/mm2以上であることが好ましい。
【００３０】
スパイラルスプリング３０の接続要素３１は、トルクを伝達しうるように回転チューブシャフト２４と接続している。回転チューブシャフト２４が２つの機能（エフェクタ３の回転および開閉機能）を有する第１の実施の形態では、接続要素３１は、回転チューブシャフト２４の長軸方向にシフト可能であることが求められる。独立した（追加的な）作動ロッド２５が回転チューブシャフト内部に配置され、回転チューブシャフト２４が１つの機能（エフェクタ３の回転）のみを有し、作動ロッド２５が他の機能（外科的ツールの開閉）を担う第２の実施の形態では、接続要素３１は、柔軟性を有するバネ３０（スパイラルスプリング）を回転チューブシャフト２４の先端部に固定する固定手段であってもよい。
【００３１】
反対側に位置する接続要素３２は、上述した両方の形態においてエフェクタ３に接続した状態で固定され、回転チューブシャフト２４からの回転運動をエフェクタ３に伝達する。スプリング３０の内部には少なくとも１つのケーブル（好ましくは２つのケーブル３３、３４）が配置されている。スプリング３０の内部にケーブルを配置するために樹脂チューブ（不図示）がスプリング３０（柔軟性を有するバネ）に挿入されている。樹脂チューブは、ケーブル３３、３４をボーデンケーブル法（Bowden cable technique）を利用して絶縁状態で誘導する機能を有する。ケーブル３３、３４は、外科用ツールを作動（開閉）させるために外科用ツールと接続している。ここで、外科用ツールは、２つのあご部を有する鉗子また鋏手段であることが好ましい。外科用ツールが有する２つのあご部のうち少なくとも１つは、旋回しうるようにエフェクタ３(エフェクタ３のハウジング１６)に支持され、レバー手段（不図示）を介して作動ロッド２５（または回転チューブシャフト２４）に連結されている。ケーブル３３、３４のうち１つは、作動ロッド２５（または回転チューブシャフト２４）に接続し、ハンドル器具１の操作シグナルによって生じる作動ロッド２５（または回転チューブシャフト２４）の軸方向のシフト移動をケーブル３３、３４のうち１つのケーブルおよびレバー手段を介して、少なくとも１つのあご部に伝達され、あご部を旋回させる。
【００３２】
より具体的には、ケーブル３３、３４のうち少なくとも１つまたは両方は、外科用ツールの２つのあご部のうち少なくとも１つまたは両方に電気的および機械的に接続している。あご部は絶縁されている。作動ロッド２５（または回転チューブシャフト２４）が軸方向にシフトすると、そのシフト運動は、柔軟性を有するバネ３０内を通るケーブル３３、３４を介して、あご部に旋回運動として伝達される。さらに、電流がケーブル３３、３４を介してあご部に供給され、加熱部を形成するか、またはあご部間を加熱しうる。発生した熱は、例えば内出血を止めるためなど患者の体を手術する際に用いられうる。
【００３３】
本発明の好ましい実施の形態における上述した外科用器具の機能は以下の通りである。
【００３４】
外科用器具を単孔トロカール（single port trocar）を介して患者の体に挿入する単孔式手術方法に用いることが好ましい。外科用器具による悪影響を防ぐため、そしてトロカール内でシャフト器具を交差させずに、器具の先端部同士の適切な距離を実現するために、図１に示されるようにシャフト器具２を実質的に単一C字型またはC字様型に湾曲させることが好ましい。シャフト器具２が湾曲する形態では、１つのトロカールに２以上の外科用器具が挿入されると、シャフト器具の基端部ハンドルまたはロボットインターフェース（不図示）の同士が離間する。
【００３５】
ヘッド器具４を旋回させるためにハンドル１またはロボティックインターフェースを操作すると、押出チューブシャフト１２がシャフト器具２内を軸方向にシフト移動する。シフト移動はレバー１９を介してヘッド器具４に伝達され、ヘッド器具４をヒンジ１７を軸として旋回させる。ここでは、少なくとも９０°の旋回角度が実現可能である。ヘッド器具４の旋回運動は、ヘッド器具４のハウジング１６内部に位置するエフェクタ３と、押出チューブシャフト１２の内部に位置する回転チューブシャフト２４とを、ヒンジ１７をバイパスする（仮想のヒンジシャフトを横切る）ことで接続するスパイラルスプリング３０の屈曲運動によっても生じうる。スパイラルスプリング３０は、ヘッド器具４が最大限に屈曲したときであってもコイル同士が接触することが無いように（またはヘッド器具４が最大限に旋回したときのみにコイル同士が接触するように）巻ピッチが調整されたコイルを有する。このためスパイラルスプリング３０を最小化しつつも、スパイラルスプリング３０は、ヘッド器具４が最大限に旋回した位置においても最大トルクを伝達することができる。
【００３６】
ヘッド器具４の（ハウジング１６の）内部のエフェクタ３を回転させるためにハンドル１を操作すると、回転チューブシャフト２４が押出（旋回）チューブシャフト１２内で回転する。この回転運動はヘッド器具４の旋回位置（pivoting position）とは独立して、スパイラルスプリング３０を介して、エフェクタ３に伝達される。
【００３７】
作動ロッド２５が設けられる形態では、ケーブル３３、３４のうち少なくとも１つは、回転チューブシャフト２４の回転運動に追従する作動ロッド２５内に位置する。回転チューブシャフト２４が作動ロッド２５の機能を担う他の形態（作動ロッド２５が省略された形態）では、ケーブル３３、３４のうち少なくとも１つは、回転チューブシャフト２４およびスパイラルスプリング３０の回転運動に正確に追従し、相対位置を保持しうるように、回転チューブシャフト２４内に固定されている。
【００３８】
エフェクタ３の外科用ツールである鉗子または鋏手段を開閉するためにハンドル１を操作すると、作動ロッド２５は、回転チューブシャフト２４および押出チューブシャフト１２に対して軸方向にシフト移動する。この軸方向のシフト移動は、スパイラルスプリング３０には伝達されない。作動ロッド２５が省略される他の形態では、回転チューブシャフト２４が、押出チューブシャフト１２内で、スパイラルスプリング（柔軟性を有するバネ）３０を動かすことなく軸方向にシフトする。スパイラルスプリング３０の接続要素のひとつである接続要素３１は、スパイラルスプリング３０にトルクのみを伝達し、せん断力は伝達しないように設計されているからである。例えば、接続要素３１は、シフト移動しうるように回転チューブシャフト２４内に支持され、回転モーメントを伝達を許容する断面形状を有する。
【００３９】
このため、上述した２つの形態における作動ロッド２５または回転チューブシャフト２４の軸方向のシフト移動は、作動ロッド２５または回転チューブシャフト２４に固定されたケーブル３３、３４の少なくとも１つおよびあご部を介して、そしてスパイラルスプリング（または柔軟性を有するバネ）３０内をボーデンケーブルの原理に従って誘導され、鉗子または鋏手段（特にこれらのあご部）にのみ伝達される。このため、鉗子または鋏手段は、ヘッド器具４の旋回位置およびヘッド器具４内部のエフェクタ３の回転位置とは独立して、操作（開閉）されうる。
【００４０】
そして、あご部を介して組織を加熱するためにハンドル１を操作すると、バイポーラ（HF）技術によってケーブル３３、３４を介して、あご部に電流が供給される。ここで、あご部は、旋回しうるように、かつ絶縁された状態でエフェクタ３によって保持される。あご部は、例えば、エフェクタケースの樹脂材料を用いるか、またはあご部を（および／またはエフェクタ３）絶縁コーティングで覆うことで絶縁される。
【００４１】
上述した本発明の好ましい実施の形態からも読み取れるように、本発明は、請求項に含まれる複数の他の形態を含有しうる。
【００４２】
上述した鉗子または鋏手段に代えて把持装置や持針器、メリーランド解剖用器具（Maryland dissector）などを、エフェクタ３に適用される外科用ツールとして用いることができる。また、非機械的に駆動／作動するエフェクタ（外科用ツール）が、器具として用いてもよい。この場合少なくとも１つのケーブルが外科用ツールに電流を供給する機能を担う。
【００４３】
好ましい実施の形態では、バイポーラＨＦ技術が用いられたが、そこでは外科用ツールの作動には、１つのケーブルしか用いることができなかった。バイポーラ技術を達成するために、他のケーブルは、例えば、シャフト器具および絶縁コーティングによって被覆されなければならないエフェクタケーシングそのものによって交換されうる。
【００４４】
上述した説明では、先端の偏向（tip deflection）すなわちヘッド器具４の旋回は、回転チューブシャフト２４および任意に作動ロッド２５を内部に支持する押出チューブシャフト１２によってもたらされる。しかし、ボーデンケーブルなどの柔軟性を有するケーブルを用いて、せん断力（押出し／引き込み力）をヘッド器具４に伝達し、ヘッド器具４の回転運動を作動させてもよい。
【００４５】
シャフト器具内部のチューブシャフトおよびロッドは、Ｃ字型のシャフト器具に追従できるよう、シフト移動が可能か、または一定の柔軟性（弾力性）を有する。
【図１】
0005771050.tif 000002
【図２】
0005771050.tif 000003
【図３】
0005771050.tif 000004
【図４】
0005771050.tif 000005
【図５】
0005771050.tif 000006